(57)【要約】      （修正有）【課題】ロールペーパーを高速で安定して繰り出し、束ね、安全に切断することができる、ロールペーパーの電動繰り出し、束ね、切断具を提供する。【解決手段】ウォームギアボックス２の出力軸心と相対する位置に動力シャフト３−１を設け、その両軸を接続する形で繰り出しドラム１を配置し、動力シャフト３−１に固持した回転輪３から伝達輪４、アイドルローラー５、従転輪６へと動力を伝達し、巻き取りバー７を作動させる駆動系で構成される。伝達輪４の側面にはピンカムが突起し、１回転する中でスイッチアームを上げ下げし、可動接点、固定接点の開閉をする。【選択図】図１
0003152710.tif 000002
【実用新案登録請求の範囲】
【請求項１】
ウォームギアボックス２の出力軸心と相対する位置に動力シャフト３−１を設け、その両軸を接続する形で繰り出しドラム１を配置し、動力シャフト３−１に固持した回転輪３から伝達輪４、アイドルローラー５、従転輪６へと動力を伝達し、巻き取りバー７を作動させる駆動系で構成され、伝達輪４の側面にはピンカム９が突起し、１回転する中でスイッチアーム８を上げ下げし、可動接点１０、固定接点１１の開閉をする機構を有するところを特徴とするロールペーパーの電動繰り出し、束ね、切断具。
【請求項２】
支軸１２を中心に揺動するクランプ板１４の下端は、鋸刃状になっているか、樹脂又は金属製の刃を固着し、背面からバネ１３又はクション材で押し圧を受け、固定バー１５と一定間隔を保つ構成を有するところを特徴とするロールペーパーの電動繰り出し、束ね、切断具。
【考案の詳細な説明】
【技術分野】
【０００１】
本考案はロールペーパーを電動で繰り出し、束ね、切断する為の器具に関する
【背景技術】
【０００２】
ロールペーパーを電動で繰り出す従来の技術としては、特開２００３−０７２９９８をはじめ、それの前後に出願されたものも、ペーパーを一対の回転動する円柱ローラーで挟んで引き出す方式を採っている。そして繰り出す量を設定する技術としては、タイマーで時間設定する方式とか、繰り出しローラーの回転数を検出して制御する方式などがある。
【０００３】
ロールペーパーを一定巾で束ねる技術としては、特開２００１−２９２５８でも出願されているが、上記の繰り出し技術で下方に送り出されたペーパーを受け皿の上で左右に振って束ねる方式が多数である。
【０００４】
ロールペーパーを切断する技術としては、いろいろな種類の方式が出願されている。まずハサミ状の二枚刃で切る方式、ペーパーの上下を押さえ中心部をカッター刃で突く方式、モーター軸に円盤カッターを取り付け、そのモーターごと水平移動させ切り裂く方式、張った糸に水を含ませペーパーに接触させ切る方式など多種ある。
【考案の概要】
【考案が解決しようとする課題】
【０００５】
一対の円柱ローラーでペーパーを挟み、繰り出す方式はペーパーが横移動し易く、ローラーに巻き込む可能性が高い。そして繰り出し量の制御にサーボモーターを採用したり、タイマー、回転数検出器などで電装コストが高くなる。
【０００６】
ロールペーパーを一定巾で束ねる技術で、ペーパーを繰り出しながら左右に振って自重で積み重ねる方式は、ペーパーの腰の強さ、風圧などが重なり、高速で束ねられない。
【０００７】
ロールペーパーを切断する技術は多種あり、いずれも専用の動力機構が必要なのと検知センサーなど制御システムが必要で、この機構が占めるコストは全体の中で大きな部分になっている。それにロールペーパーは繊維質なため切断しづらく、機械的作動で１００％の切断結果が得ぬくい。
【課題を解決するための手段】
【０００８】
ウォームギアボックス２の出力軸心と相対する位置に動力シャフト３−１を設け、その両軸を接続する形で繰り出しドラム１を配置し、動力シャフト３−１に固持した回転輪３から伝達輪４、アイドルローラー５、従転輪６へと動力を伝達し、巻き取りバー７を作動させる駆動系で構成され、伝達輪４の側面にはピンカム９が突起し、１回転する中でスイッチアーム８を上げ下げし、可動接点１０、固定接点１１の開閉をする。
【０００９】
支軸１２を中心に揺動するクランプ板１４の下端は、鋸刃状になっていて、背面からバネ１３で押し圧を受け、固定バー１５と一定間隔を保つ。
【考案の効果】
【００１０】
ペーパー繰り出し時の問題は、繰り出しドラム１にロールペーパーを直接載せることによって、高速でスムーズな送り出しが出きペーパーの横ずれ、繰り出しローラーに巻き付くなどのトラブルが無くなった。動力部は市販のウォームギアボックスを使用することにより、コストは大幅に下がった。
ロールペーパーを束ねるスピード問題は２本のバーで巻き取る方式によって、自重で積み重ねる方式に比べ、高速で束ねることが出来る。
切断方式の問題では片手でワンモーションで切断できる手動方式を考案し、確実でスピーディ，低コストの機構となった。コンパクトで低コストの機器として、量産し易い装置となった。
【図面の簡単な説明】
【００１１】
【図１】駆動系を示した正面図である。
【図２】駆動系とモーター停止スイッチを示した右側面図である。
【図３】繰り出し、巻取り、切断部を示した左側面図である。
【考案を実施するための最良の形態】
【００１２】
図１で動力駆動系から説明する。動力源はモーターと減速機をユニット化した市販のウォームギアボックス２で、その出力軸心と相対する位置に動力シャフト３−１を設置し，その両軸を接続する形で繰り出しドラム１を配置する。繰り出しドラム１は動力損失を最小限にするため、軽量材質で中空構造にした。その外周には山形スベリ止め材１―１が複数列接着してある。次に動力シャフト３−１に固着された回転輪３が動力を伝達輪４に伝える。伝達輪４は巾が回転輪３の約２倍あり図１に示すように、回転輪３は伝達輪４の左半分と噛み合っている。そして伝達輪４の右半分の歯部が１８０度に渡り削り取られていて、その間は動力が伝わらないようにしてある。巻き取りバー７の中心軸に固着された従転輪６にはアイドルローラー５が接して噛み合っている。アイドルローラー５の噛み合い表面部は硬質のスポンジ状の材質が良く、滑らかな動力伝達ができ過負荷が懸かった時スリップして安全が確保出来る。また回転輪３、伝達輪４、従転輪６の外周には山形スベリ止め材が接着され、ギア歯の役目を果たしている。
【００１３】
図２でモーター停止機構の構成部品を説明する。Ｓを支点として上下に揺動するスイッチアーム８は他端に通電性の良い可動接点１０が固着され、伝達輪４の回転によって固定接点１１と適度な隙間を作ってモーターを停止させる。伝達輪４の側面に固着されているピンカム９はノックピン、ボルト、板状カムでも良い。
【００１４】
図３でペーパーを切断する構成部品と、この機構の動作を説明する。
（Ａ図）で起動スイッチを入れると繰り出しドラム１が作動し、ペーパーを送り出して来る。使用量の半分のペーパーが繰り出されたタイミングで巻き取りバー７が回転を始め、さらに繰り出される残り半分と、すでに送り出された分を一緒に巻き取るのである。
（Ｂ図）ではペーパーの巻取りが完了し、モーターも停止した状態である。次にペーパー切断の部材を説明する。支軸１２を中心に揺動するクランプ板１４が装着され、その下端は鋸歯状の刃になっている。クランプ板１４は背面からバネ１３で押し圧を受け固定バー１５と一定間隔を保っている。
（Ｃ図）はペーパーを切断する工程である。巻き取りバー７を反時計方向へ回すことでペーパーにテンションが懸かりクランプ板１４は揺動し固定バー１５に干渉する。そしてテコの原理で強くペーパーを挟み込みロックする。さらに巻き取りバー７を回すことによりクランプ板１４下端の鋸刃でペーパーは切断され、ペーパーは巻き取りバー７から抜き取る事ができる。切断、抜き取りを片手でツーモーションで行える。
【符号の説明】
【００１５】
１      繰り出しドラム
１−１  山形スベリ止め材
２      ウォームギアボックス
３      回転輪３
３−１  動力シャフト
４      伝達輪
５      アイドルローラー
６      従転輪
７      巻き取りバー
８      スイッチアーム
９      ピンカム
１０    可動接点
１１    固定接点
１２    支軸
１３    バネ
１４    クランプ板
１５    固定バー
【図１】
0003152710.tif 000003
【図２】
0003152710.tif 000004
【図３】
0003152710.tif 000005
【手続補正書】
【提出日】平成21年6月4日(2009.6.4)
【手続補正１】
【補正対象書類名】実用新案登録請求の範囲
【補正対象項目名】請求項１
【補正方法】変更
【補正の内容】
【請求項１】
モーターと減速機をユニットにしたウォームギアボックスと、ロールペーパーを送り出す繰り出しドラム、動力を伝達する動力シャフトを連接した起動部材と、前記動力シャフトの一端に固持した回転輪、前記回転輪と噛み合う伝達輪、アイドルローラーを介して巻き取りバーを回動させる従転輪とからなる駆動部材と、前記伝達輪が１回転すると側面のピンカムがスイッチアームを押し上げ可動接点と固定接点を開くモーター停止部材と、ロールペーパーの切断部材とからなり、外周右半分の約１８０度の歯が削られ、その間は動力が伝わらない形状とした前記従転輪を特徴とするロールペーパーの電動繰り出し、束ね、切断具。
【手続補正２】
【補正対象書類名】実用新案登録請求の範囲
【補正対象項目名】請求項２
【補正方法】変更
【補正の内容】
【請求項２】
前記ロールペーパー切断部材において支軸を中心に揺動するクランプ板は下端が鋸刃状になっているか、樹脂又は金属製の刃を固着した切断部となり、上端は固定バーと一定間隔を有し、ペーパー切断時は干渉しペーパーをロックする構成を有するところを特徴とする請求項１に記載のロールペーパーの電動繰り出し、束ね、切断具。